(57)【要約】【課題】給紙口と排紙口との間に原稿給紙トレイを配置することで画像読み取り時の利便性を確保しつつ、給紙口及び排紙口から塵埃等が入り込むことを抑制することができる自動原稿搬送装置を提供する。【解決手段】給紙口４１から給紙する原稿を載置する原稿給紙トレイ３６と、不使用時に閉状態とすることで給紙口４１を覆いかつ使用時に開状態することで原稿給紙トレイ３６の一部を構成する原稿トレイカバー３４と、原稿トレイカバー３４とは別に原稿給紙トレイ３６の下方に位置して画像を読み取った後の原稿を排出する排紙口４２を覆う側面カバー３５と、を備える。【選択図】図２
2015098371.tif 000002
【特許請求の範囲】
【請求項１】
給紙口から給紙する原稿を載置する原稿給紙トレイと、
不使用時に閉状態とすることで前記給紙口を覆いかつ使用時に開状態にすることで前記原稿給紙トレイの一部を構成する原稿トレイカバーと、
前記原稿トレイカバーとは別に、前記原稿給紙トレイの下方に位置して画像を読み取った後の原稿を排出する排紙口を開閉する排紙口カバーと、
を備えることを特徴とする自動原稿搬送装置。
【請求項２】
前記原稿トレイカバーの開閉状態に連動して前記排紙口カバーを開閉させる連動機構を有することを特徴とする請求項１に記載の自動原稿搬送装置。
【請求項３】
前記連動機構は、
前記原稿トレイカバーを回動可能に支持する回動軸に設けた駆動ギヤと、
前記駆動ギヤと噛み合う従動ギヤと、
前記従動ギヤと噛み合うラックと、
前記排出口カバーを閉方向に付勢する付勢部材と、
を有し、
前記ラックは、前記原稿トレイカバーを閉状態から開状態に回動させたときに連動して回動又は変位することによって、前記付勢部材の付勢に抗して前記排紙口カバーを押し開け、
前記付勢部材は、前記原稿トレイカバーを開状態から閉状態に回動させたときに前記ラックの回動又は変位に連動して前記ラックが前記排出口カバーから退避することによって、前記排紙口カバーを付勢により閉状態とする
ことを特徴とする請求項１又は請求項２に記載の自動原稿搬送装置。
【請求項４】
前記原稿トレイカバーと前記排紙口カバーとがリンク機構を介して連動して開閉する
ことを特徴とする請求項１又は請求項２に記載の自動原稿搬送装置。
【請求項５】
前記リンク機構は、
前記原稿トレイカバーの低面側に配置して水平方向に延びる水平ガイドレールと、
前記排紙口カバーの裏面側に配置して鉛直方向に沿って延びる鉛直ガイドレールと、
前記各ガイドレール及び前記原稿トレイカバーに形成されたガイド溝と、
前記各ガイド溝と係合するように前記原稿トレイカバー及び前記排紙口カバーに設けた係合軸と、
を備えることを特徴とする請求項４に記載の自動原稿搬送装置。
【請求項６】
前記原稿トレイカバーと前記排紙口カバーとが開状態にある時に、前記ガイド溝に対する前記軸の係合位置が逆戻りしないように位置を維持する維持部を備える
ことを特徴とする請求項５に記載の自動原稿搬送装置。
【請求項７】
前記原稿トレイカバーの前記ガイド溝に一端が係合しかつ他端が前記水平ガイドレールに回動可能に支持されたリンク部材を備える
ことを特徴とする請求項５又は請求項６に記載の自動原稿搬送装置。
【請求項８】
前記リンク部材が一定以上回転しないように前記原稿トレイカバーの開方向の回動範囲を規制する規制部を有する
ことを特徴とする請求項７に記載の自動原稿搬送装置。
【発明の詳細な説明】
【技術分野】
【０００１】
本発明は、自動原稿搬送装置、特に、給紙口と排紙口との間に原稿給紙トレイを配置した自動原稿搬送装置に関する。
【背景技術】
【０００２】
一般的な複合機は、画像形成部の上方に画像読取部が設置され、さらに画像読取部の上方に自動原稿搬送装置を備えている。
【０００３】
自動原稿搬送装置は、読み取り対象の原稿をセットする原稿給紙トレイと、原稿給紙トレイにセットした原稿を給紙口から取り出して搬送する搬送部と、読み取った原稿を排紙口から排紙する排紙トレイと、を大略備えた構成になっている。
【０００４】
一方、近年は、規格サイズでＡ３サイズの原稿の読み取り又は画像形成を可能とする小型な複合機の要望が高まり、自動原稿搬送装置においてもＡ３サイズに対応した大きさの原稿給紙トレイが必要となり、自動原稿搬送装置の機械サイズも大型化してしまう。
【０００５】
また、自動原稿搬送装置は、原稿給紙トレイ、給紙口（搬送部の一部）は、使用しないときでも外部に露出した状態となるため、原稿給紙トレイに堆積した塵埃を含め、給紙口から搬送部に塵埃が入ってしまい、印刷に不具合を生じさせる可能性があった。
【０００６】
それらを解決するために原稿給紙トレイと給紙口とを覆うカバーを設けることで塵埃が給紙口から搬送部へと入り込むのを防ぎ、かつ使用時にはカバーを開けることでカバーが原稿給紙トレイの一部をなし、Ａ３サイズの原稿にも対応しつつ機械サイズを小さくしたものがある（例えば、ブラザー工業株式会社製  インクジェット複合機  ＭＦＣ−Ｊ４９１０ＣＤＷ・ＭＦＣ−Ｊ４５１０Ｎ等）。
【０００７】
なお、例えば、上下に隣接する２つの扉を配置し、特定の一方の扉の開閉により、電気的な構成を採用せずに他方の扉も同時に開閉させることができることも知られている（例えば、特許文献１参照）。
【発明の概要】
【発明が解決しようとする課題】
【０００８】
しかしながら、自動原稿搬送装置の場合、給紙口と排紙口との間には、原稿給紙トレイが介在して隣接する関係とはなっていないため、これら２つのカバーを同時に開閉させることは困難であった。
【０００９】
また、周知の複合機には、記録紙供給用の手差しトレイのように、常時はカバーの一部として用い、使用時においてカバーを開放することで給紙口が外部に露出するものもあるが、このような手差しトレイに関しては排紙口との関係性はない。
【００１０】
さらに、小型の複合機等では、記録紙を供給する給紙口と画像形成済みの記録紙の排紙口とを上下に配置するとともに、手差しトレイと同様に記録紙を収納していない状態では給紙口と排紙口とを一つの記録紙給紙トレイで覆うものも周知である。
【００１１】
このような場合、給紙口を下方に配置し、排紙口を上方に配置することで一つの記録紙給紙トレイの一部を原稿トレイカバーとして開閉することができるようになっている。
【００１２】
しかしながら、自動原稿搬送装置では、原稿を載置する際の作業性を考慮して所謂フェイスアップ状態で原稿をセットして頁順に画像を読み取るとともに、下方に画像読取部を配置する構造であるため、給紙口を上方に、排紙口を下方に配置するのが一般的である。
【００１３】
したがって、給紙口は原稿給紙トレイの上方に必然的に配置され、原稿給紙トレイの下方に排紙口が配置される。すなわち、上方から、給紙口、原稿給紙トレイ、排紙口、の順に配置せざるを得ず、給紙口と排紙口との間には原稿給紙トレイが介在することになるため、一つのカバーで給紙口と排紙口とを覆うことは困難であった。
【００１４】
なお、給紙口を下方に配置し、排紙口を上方に配置することで一つのカバーで給紙口と排紙口とを覆うものもある。このような場合、原稿給紙トレイは給紙口の下方に配置されているものの、フェイスダウンで原稿を配置し、最終頁側から順に画像の読み取りを行う必要が生じる。
【００１５】
したがって、画像読み取り後の原稿はフェイスアップ状態で排出されるため、原稿の頁順は維持されるが、画像形成処理後の原稿排出もフェイスアップとしなければならず、搬送経路等の設計が複雑化し、機械サイズが大型化する要因ともなる。
【００１６】
さらに、このような問題を解決するために、読み取った画像データを一旦メモリに蓄積し、最終原稿の読み取りが終了した時点で画像形成処理を行うことも考えられるが、このような場合、高価なメモリが必要となるうえ、画像形成処理が遅くなるという問題がある。
【００１７】
しかも、メモリへの蓄積をせずにリアルタイム送信を行うファクシミリ機能を用いた場合には、相手方のファクシミリには頁の逆順で出力がなされてしまうなどの問題がある。
【００１８】
したがって、自動原稿搬送装置では、原稿を原稿給紙トレイに載置する際の容易性や複数枚同時搬送の確認等の利便性を確保しつつ、小型で安価な構成とするためには、原稿のフェイスアップ載置とし、給紙口を上方に配置し、排紙口を下方に配置するのが望ましい。
【００１９】
本発明は、上述のような従来の問題を解決するためになされたもので、給紙口と排紙口との間に原稿給紙トレイを配置することで画像読み取り時の利便性を確保しつつ、給紙口及び排紙口から塵埃等が入り込むことを抑制することができる自動原稿搬送装置を提供することを目的とする。
【課題を解決するための手段】
【００２０】
本発明に係る自動原稿搬送装置は、上記目的達成のため、給紙口から給紙する原稿を載置する原稿給紙トレイと、不使用時に閉状態とすることで前記給紙口を覆いかつ使用時に開状態することで前記原稿給紙トレイの一部を構成する原稿トレイカバーと、前記原稿トレイカバーとは別に、前記原稿給紙トレイの下方に位置して画像を読み取った後の原稿を排出する排紙口を開閉する排紙口カバーと、を備えるよう構成する。
【発明の効果】
【００２１】
本発明によれば、給紙口と排紙口との間に原稿給紙トレイを配置することで画像読み取り時の利便性を確保しつつ、給紙口及び排紙口から塵埃等が入り込むことを抑制することができる自動原稿搬送装置を提供することができる。
【図面の簡単な説明】
【００２２】
【図１】本発明の実施の形態に係る自動原稿搬送装置を搭載した複合機の外観斜視図である。
【図２】本発明の実施の形態に係る自動原稿搬送装置の概略構成を示す断面図である。
【図３】本発明の実施の形態に係る自動原稿搬送装置を示す要部の斜視図である。
【図４】本発明の実施の形態に係る自動原稿搬送装置の実施例１を示し、（Ａ）はカバー閉状態の要部の断面図、（Ｂ）はカバー開状態の要部の断面図である。
【図５】本発明の実施の形態に係る自動原稿搬送装置の実施例２を示し、（Ａ）はカバー閉状態の要部の説明図、（Ｂ）はカバー開状態の要部の説明図である。
【図６】本発明の実施の形態に係る自動原稿搬送装置の実施例２の変形例を示し、（Ａ）はカバー閉状態の要部の説明図、（Ｂ）はカバー開状態の要部の説明図である。
【発明を実施するための形態】
【００２３】
以下、本発明の実施の形態について、図面を参照して説明する。
【００２４】
図１に示すように、本実施の形態の画像形成装置１は、電子写真方式を採用しており、図示下段から、略立法体形状の画像形成装置本体１０と、その上部に搭載された画像読取装置２０と、その上部に搭載された自動原稿搬送装置３０と、を備える。
【００２５】
画像形成装置本体１０は、例えば、図示しないパーソナルコンピュータから出力された画像データ、画像読取装置２０で原稿画像を光学的に読み取った画像データ、電話回線等を通じて受信した画像データ、に基づいて画像形成処理を行う。
【００２６】
画像形成装置本体１０は、画像形成する記録紙を格納する給紙カセット１１、画像形成処理済みの記録紙が排出される引き出し延長方式の排紙トレイ１２等を備える。
【００２７】
画像読取装置２０の正面には、ユーザにより画像形成装置１の操作を行う各種操作ボタンやタッチパネル方式の液晶パネル等を備えた操作パネル２１を備える。なお、画像読取装置２０による原稿画像の読み取りや画像形成処理は公知の技術を採用しているため、ここではその詳細な説明は省略する。
【００２８】
自動原稿搬送装置（以下、単に「ＡＤＦ」と称する）３０は、画像読取装置２０の奥側に図示しないヒンジ部を備え、画像読取装置２０に対して手前側から開閉操作できるようになっている。また、画像読取装置２０の上面には、ＡＤＦ３０を開操作したときに露出して、本等の読取原稿を載置することができるプラテンガラス（図示せず）やＡＤＦ３０を用いた画像読み取り用のスリット状のコンタクトガラス（図示せず）等を備えている。
【００２９】
また、ＡＤＦ３０は、非使用状態での外観が略矩形の筐体形状を呈しており、画像形成装置１の正面側と背面側とに各種モータやギヤ等の駆動系を収納した収納カバー３１，３２を有する。
【００３０】
さらに、ＡＤＦ３０は、図２に示すように、搬送部４０を覆う搬送部カバー３３と、非使用時において搬送部カバー３３とで自動原稿搬送装置３０の上面を平坦とする原稿トレイカバー３４と、原稿トレイカバー３４側の側面を覆う側面カバー３５と、を備えている。なお、原稿トレイカバー３４及び側面カバー３５の具体的な構成は後述する。
【００３１】
また、ＡＤＦ３０は、給紙口４１から給紙する原稿を載置する原稿給紙トレイ３６と、画像読み取り後の原稿を排紙口４２から排紙して集積する原稿排紙トレイ３７と、原稿排紙トレイ３７の下流端寄りの下方に配置した排紙延長トレイ３８と、を有する。
【００３２】
搬送部カバー３３は、ジャム処理等が可能となるように、搬送部４０の少なくともその上方を開閉可能に覆っている。搬送部カバー３３は、原稿の先端がカバー内部に臨むように給紙口４１を形成している。搬送部カバー３３は、給紙口４１よりも内部に束厚調整部材４５の先端が位置するように、束厚調整部材４５の先端の一部を上方を覆っている。
【００３３】
原稿給紙トレイ３６は、搬送部４０側を原稿の先端側として、その先端側が下方、その後端側が上方となるように上向き傾斜して配置されている。なお、原稿給紙トレイ３６は、図示を省略するが、搬送部４０に向かう原稿の給紙方向と直行する左右方向を位置決めする公知のサイドガイドを有している。
【００３４】
図２に示すように、搬送部４０は、給紙口４１から排紙口４２に至る搬送経路の途中において、画像読取装置２０に設けられた図示しない光学センサ等により画像読取部Ｓにて画像が読み取られるようになっている。
【００３５】
なお、本実施の形態では、搬送経路の画像読取部Ｓと排紙口４２との間には、例えば、両面原稿の場合に、一面（表面）の画像を画像読取装置２０により読み取った後に、他面（裏面）の画像を読み取る光学センサ４３を配置している。この際、２か所の画像読み取りにより一度の原稿搬送で両面画像の読み取りを可能といるが、公知のスイッチバック機構及び反転機構を用いて他面の画像を読み取るようにしてもよい。
【００３６】
搬送部４０は、給紙口４１から排紙口４２に至る搬送経路中に、上流側から順に、ピックアップローラ４４、束厚調整部材４５、分離部４６、複数の搬送ローラ４７、圧接ローラ４８、排紙ローラ４９、を備えている。
【００３７】
ピックアップローラ４４は、接触位置において原稿給紙トレイ３６に積載された原稿のうち、最上位側から数枚（理想的には１枚）の原稿をピックアップする。
【００３８】
束厚調整部材４５は、搬送部４０側を原稿の先端側として、その先端側が下方、その後端側が上方となるように上向き傾斜して配置され、後端寄りの軸４５ａを回動中心として原稿の束厚に応じて先端が下方に傾くようになっている。
【００３９】
この際、束厚調整部材４５の先端側は、図示しないスプリング等の付勢部材によってピックアップローラ４４に向けて付勢されており、原稿の束厚に応じた圧力で最上位の原稿がピックアップローラ４４に当接するようになっている。
【００４０】
分離部４６は、ピックアップローラ４４で送り出された原稿が複数枚に重なって下流側に搬送されないように最上位の原稿と以降の原稿とを分離する。具体的には、分離部４６は、給紙ベルト４６ａとリバースローラ４６ｂとを有する。
【００４１】
給紙ベルト４６ａは、リバースローラ４６側が原稿給送方向に沿うように回動移動する。リバースローラ４６ｂは、原稿給送方向とは逆方向に回転可能となっている。これにより、リバースローラ４６ｂは、複数枚の原稿が重送されようとした場合に、給紙ベルト４６ａの回動移動方向に対して逆方向に回転することにより、原稿の重送を抑制する。
【００４２】
複数の搬送ローラ４７は、搬送経路上の適宜位置に複数配置され、その隣接する搬送ローラ４７の間には、必要に応じてジャムセンサ（図示せず）等が配置されている。また、搬送ローラ４７は、原稿搬送経路５６を挟んで対向するように配置され、原稿をニップして搬送する。なお、これら搬送ローラ４７の配置数や配置場所は、例えば、搬送経路の経路設計や、ＡＤＦ３０が許容する原稿の最小サイズの原稿搬送方向の長さ等に応じて任意である。
【００４３】
さらに、給紙ベルト４６ａの下流側に隣接して配置した搬送ローラ４７は、ピックアップローラ４４の駆動タイミングに応じて、給紙した原稿の先端を突き当ててスキュー搬送を補正し、補正後の原稿を引き出し搬送する先端整合機能を有するようになっている。
【００４４】
圧接ローラ４８は、原稿を搬送しつつ、読取位置Ｓにてコンタクトガラス(図示せず）に向けて原稿を押え付ける。これにより、原稿は画像読取装置２０の光学センサとの焦点位置を適正に確保する。
【００４５】
原稿トレイカバー３４は、側面カバー３５側の端部に回動軸３４ａを備え、この回動軸３４ａを中心に回動することで給紙口４１を開閉する。これにより、図３に示すように、原稿トレイカバー３４を開放し、原稿Ｐを原稿給紙トレイ３６に載置したときには、原稿給紙トレイ３６の後端を延長した原稿給紙トレイの一部として機能するようになっている。
【００４６】
側面カバー３５は、下端に回動軸３５ａを備え、この回動軸３５ａを中心に回動することで排紙口４２を含む原稿排紙トレイ３７の上方の排紙空間３９を開閉する。これにより、側面カバー３５は、排紙口４２を開閉する排紙口カバーとして機能する。
【００４７】
排紙延長トレイ３８は、側面カバー３５の回動に連動して進退動し、側面カバー３５が排紙空間３９を開放したときに原稿排紙トレイ３７の後端から突出して原稿排紙トレイ３７を延長し、側面カバー３５が排紙空間３９を閉成したときに原稿排紙トレイ３７の後端に没入する。
【００４８】
このように、自動原稿搬送装置３０の全体をカバー３１，３２，３３，３４，３５等で覆うとともに、ＡＤＦ３０を使用していない状態では、カバー３４，３５を閉じておくことで給紙口４１や排紙口４２に塵埃等が入り込むことを抑制することができる。
【００４９】
また、原稿トレイカバー３４で原稿給紙トレイ３６の一部を構成することにより、例えば、Ａ３サイズの原稿Ｐに対応しつつ、ＡＤＦ３０を使用していない状態では、ＡＤＦ３０の機械サイズを小さくすることができる。
【００５０】
ところで、複写機能やスキャナ機能等のＡＤＦ３０を使用する際には、原稿トレイカバー３４と側面カバー３５とは開いている必要があり、使用後には原稿トレイカバー３４と側面カバー３５とは閉じているのが望ましい。
【００５１】
そこで、ユーザは、使用時に原稿トレイカバー３４を開くと、それに連動して側面カバー３５も開き、使用後に原稿トレイカバー３４を閉じると、それに連動して側面カバー３５も閉じることができる。
【００５２】
また、原稿サイズが大きい場合には、排紙延長トレイ３８を引き出す必要がある。その際、ユーザが排紙延長トレイ３８を引き出したまま原稿トレイカバー３４を閉じてしまうと、側面カバー３５も同時に連動して閉じられてしまうため、排紙延長トレイ３８と干渉してしまう。そこで排紙延長トレイ３８を引き出したままの原稿トレイカバー３４又は側面カバー３５を閉じた場合に、側面カバー３５と干渉しても破損等が無いように排紙延長トレイ３８も各カバー３４，３５の開閉に連動する構成にするのが望ましい。
【００５３】
そこで、本実施の形態では、原稿トレイカバー３４、側面カバー３５、排紙延長トレイ３８は、原稿トレイカバー３４の開閉操作によって連動するようになっている。
【００５４】
（実施例１）
図４は、本発明のＡＤＦ３０の実施例１を示し、原稿トレイカバー３４、側面カバー３５、排紙延長トレイ３８を、原稿トレイカバー３４の開閉操作によって連動する連動機構部５０の構成例を示す。
【００５５】
図４に示すように、連動機構部５０は、駆動ギヤ５１、従動ギヤ５２、円弧状ラック５３、トーションスプリング５４、を有する。
【００５６】
駆動ギヤ５１は、原稿トレイカバー３４の回動軸３４ａの一端に同軸に設けられている。また、駆動ギヤ５１は、例えば、収納カバー３２の内部に配置されている。
【００５７】
従動ギヤ５２は、駆動ギヤ５１と噛み合っている。従動ギヤ５２は、収納カバー３２の内部に配置され、例えば、収納カバー３２又はＡＤＦ３０を構成する躯体フレーム等に回転可能に保持されている。
【００５８】
円弧状ラック５３が、従動ギヤ５２と噛み合っている。なお、円弧状ラック５３の側面カバー３５側の端部には、ＡＤＦ３０の内方側に突出した係合突起５３ａが形成されている。円弧状ラック５３は、収納カバー３２の内部に配置され、例えば、収納カバー３２又はＡＤＦ３０を構成する躯体フレーム等に回動軌跡に沿うガイド溝等を形成することにより、回転可能に保持されている。
【００５９】
トーションスプリング５４は、回動軸３５ａに一端が巻設されており、一端が側面カバー３５の裏面に保持され、他端が収納カバー３２又はＡＤＦ３０を構成する躯体フレーム等に保持されている。トーションスプリング５４は、側面カバー３５を閉方向に付勢している。
【００６０】
なお、排紙延長トレイ３８は、例えば、回動軸３５ａにピニオンギヤを設けるとともに、排紙延長トレイ３８の底面にラックギヤを設けることにより、側面カバー３５の開閉に連動して進退動させることができる。
【００６１】
また、この他に、例えば、円弧状ラック５３を扇形ギヤで構成し、その回動軸にピニオンギヤを設けるとともに、排紙延長トレイ３８の底面にラックギヤを設けることにより、側面カバー３５の開閉に連動して進退動させることができる。
【００６２】
このような構成において、ユーザが原稿トレイカバー３４を開くと、原稿トレイカバー３４の開度に応じた駆動ギヤ５１の回転により、駆動ギヤ５１と噛み合った従動ギヤ５２が連動して回転する。従動ギヤ５２には円弧状ラック５３が噛み合っていることから、従動ギヤ５２の回転により、円弧状ラック５３が図４（Ａ）に示す位置から図４（Ｂ）に示すように枠外へと飛び出すように回動する。
【００６３】
この際、円弧状ラック５３が所定位置まで飛び出し方向に回動すると、係合突起５３ａが側面カバー３５の裏面に当接し、円弧状ラック５３の更なる飛び出し方向への回動により、トーションスプリング５４の付勢に抗して側面カバー３５を押し開ける。
【００６４】
同時に、側面カバー３５の開放又は円弧状ラック５３の回動に連動して排紙延長トレイ３８を進出させることができる。
【００６５】
なお、原稿トレイカバー３４と側面カバー３５とは、一定以上に回転しないように、回転止めを設けることで、原稿Ｐを積載したとき等に加わる下方向の荷重を支持することができる。具体的には、原稿トレイカバー３４の開方向の回動角度を規制するストッパ等を収納カバー３２とは逆側の収納カバー３１又はＡＤＦ３０を構成する躯体フレーム等に設け、原稿トレイカバー３４の開放角度を規制する。
【００６６】
また、原稿トレイカバー３４と側面カバー３５の開放角度は、例えば、駆動ギヤ５１と従動ギヤ５２との直径の差により設定することができる。また、円弧状ラック５３の円弧のい形状や角度等によっても設定は可能である。
【００６７】
次に、ユーザが原稿トレイカバー３４を閉じると、上記各ギヤ５１，５２の回転に連動して円弧状ラック５３が収納方向に回動することにより、側面カバー３５はトーションスプリング５４の付勢力によって閉じると共に排紙延長トレイ３８を退避させることができる。
【００６８】
なお、使用後に側面カバー３５を閉じることにより、それに連動して原稿トレイカバー３４も閉じることができる。
【００６９】
ところで、排紙延長トレイ３８は、手動によって進退動させるように連動機構部５０とは独立させてもよい。
【００７０】
この際、排紙延長トレイ３８を手動で引き出したまま原稿トレイカバー３４を閉じても、トーションスプリング５４を使用することで、排紙延長トレイ３８と側面カバー３５とが干渉しても、両者に大きな力が加わらず、破損を防ぐことができる。
【００７１】
すなわち、原稿トレイカバー３４を閉じるために回動させると、その初期においてはトーションスプリング５４の付勢によって円弧状ラック５３の回動に連動して側面カバー３５も閉じ方向に回動する。
【００７２】
そして、排紙延長トレイ３８が引き出されたままの場合、排紙延長トレイ３８の先端に側面カバー３５が当接した時点で、円弧状ラック５３のみが退避方向に回動し、側面カバー３５は排紙延長トレイ３８に当接したまま停止する。
【００７３】
これにより、側面カバー３５は、原稿トレイカバー３４の閉じ方向の回動とは独立し、強制的に閉じられないため、不側な破損を抑制することができる。
【００７４】
（実施例２）
図５は、本発明のＡＤＦ３０の実施例２を示し、原稿トレイカバー３４と側面カバー３５とを、原稿トレイカバー３４の開閉操作によって連動する連動機構部６０の構成例を示す。なお、この例においては、排紙延長トレイ３８は手動による引き出し及び収納とする。
【００７５】
図５に示すように、連動機構部６０は、収納カバー３２又はＡＤＦ３０を構成する躯体フレーム等に保持されたガイドレール６１，６２を有する。ガイドレール６１はＡＤＦ３０の水平方向に沿って延び、ガイドレール６２はＡＤＦ３０の鉛直方向に沿って延びている。
【００７６】
また、原稿トレイカバー３４の側面にはガイド溝３４ｂが形成され、ガイドレール６１にはガイド溝６１ａが形成され、ガイドレール６２にはガイド溝６２ａが形成されている。
【００７７】
さらに、ガイド溝３４ｂには側面カバー３５の上端軸３５ｂが係合し、ガイド溝６１ａには原稿トレイカバー３４の先端軸３４ｃが係合し、ガイド溝６２ａには側面カバー３５の下端軸３５ｃが係合している。
【００７８】
したがって、原稿トレイカバー３４と側面カバー３５とは、ガイドレール６１，６２とでリンク機構を構成している。
【００７９】
このような構成において、ユーザが原稿トレイカバー３４を後方に変位させると、原稿トレイカバー３４の開度に応じたガイド溝６１ａに対する先端軸３４ｃの位置に応じてリンク機構により側面カバー３５が上方に変位し、各カバー３４，３５が開く。
【００８０】
この際、各軸３４ｃ，３５ｃ，３５ｂが各ガイド溝６１ａ，６２ａ，３４ｂの終端に位置したときに、原稿トレイカバー３４の開放位置と傾斜角度とが規定され、ユーザは開状態を容易に認識することができる。
【００８１】
また、これとは逆に、原稿トレイカバー３４を前方に変位させると、原稿トレイカバー３４の開度に応じたガイド溝６１ａに対する先端軸３４ｃの位置に応じてリンク機構により側面カバー３５が下方に変位し、各カバー３４，３５が閉じる。
【００８２】
これにより原稿トレイカバー３４は傾斜し原稿給紙トレイ３６の傾斜と平行とすることが可能となる。また、側面カバー３５が上端に来たときに一定角度までしか回転しないようにすることで、側面カバー３５によっても原稿トレイカバー３４を支持することができる。
【００８３】
なお、原稿トレイカバー３４の傾斜角度は、ガイド溝６１ａの長さに対するガイド溝３４ｂとガイド溝６２ａとを加えた長さの比によって設定することができる。また、ガイド溝６１ａ，６２ａ，３４ｂの少なくとも何れか一つの終端側、すなわち、原稿トレイカバー３４及び側面カバー３５を開状態としているときに各軸３４ｃ，３５ｃ，３５ｂが位置している付近に維持部としてのロック爪６２ｂ等を設けて逆戻りを防止してもよい。
【００８４】
また、図６に示すように、リンクアーム６３を設け、このリンクアーム６３の一端を回動軸６３ａとしてガイドレール６１に支持させ、他端をガイド溝３４ｂと係合する係合軸６３ｂとしてもよい。
【００８５】
この場合、原稿トレイカバー３４を開放し、図６（Ｂ）に示すように、各軸３４ｃ，３５ｃ，３５ｂが各ガイド溝６１ａ，６２ａ，３４ｂの終端に位置したときに、リンクアーム６３が鉛直方向に起立するように設定するのが好ましい。
【００８６】
具体的には、ガイドレール６１に、リンクアーム６３が起立状態となった位置で係合する規制部としてのストッパ６１ｂ等を設ける。なお、このストッパ６１ｂは上述した逆戻り防止用のロック爪６２ｂと併用してもよい。
【００８７】
これにより、リンクアーム６３が鉛直方向に起立していると、原稿トレイカバー３４に載置した原稿からの荷重を受けることができ、例えば、側面カバー３５が不測に閉じてしまうといった不具合を抑制することができる。
【００８８】
このように、本実施の形態に係るＡＤＦ３０は、給紙口４１から給紙する原稿を載置する原稿給紙トレイ３６と、不使用時に閉状態とすることで給紙口４１を覆いかつ使用時に開状態することで原稿給紙トレイ３６の一部を構成する原稿トレイカバー３４と、原稿トレイカバー３４とは別に原稿給紙トレイ３６の下方に位置して画像を読み取った後の原稿を排出する排紙口４２を覆う側面カバー３５と、を備えることにより、給紙口４１と排紙口４２との間に原稿給紙トレイ３６を配置することで画像読み取り時の利便性を確保しつつ、給紙口４１及び排紙口４２から塵埃等が入り込むことを抑制することができる。
【００８９】
以上説明したように、本発明に係る自動原稿搬送装置は、給紙口と排紙口との間に原稿給紙トレイを配置することで画像読み取り時の利便性を確保しつつ、給紙口及び排紙口から塵埃等が入り込むことを抑制することができるという効果を有し、給紙口と排紙口との間に原稿給紙トレイを配置した自動原稿搬送装置の全般に有用である。
【符号の説明】
【００９０】
３０  自動原稿搬送装置
３４  原稿トレイカバー
３５  側面カバー（排紙口カバー）
３６  原稿給紙トレイ
３８  排紙延長トレイ
４１  給紙口
４２  排紙口
５０  連動機構（リンク機構）
５１  駆動ギヤ
５２  従動ギヤ
５３  円弧状ラック
５４  トーションスプリング
【先行技術文献】
【特許文献】
【００９１】
【特許文献１】特許第３７０２６４０号公報
【図１】
2015098371.tif 000003
【図２】
2015098371.tif 000004
【図３】
2015098371.tif 000005
【図４】
2015098371.tif 000006
【図５】
2015098371.tif 000007
【図６】
2015098371.tif 000008